(57)【要約】【課題】ファール球が発生しても発射レールの終端面には衝突させないようにして常に安定した飛走状態が得られるようにした弾球遊技機を提供する。【解決手段】発射通路３２に沿って設けられる発射レール３３と、発射通路３２の発射位置３５にある弾球Ｂ１を発射させる打球発射装置３６と、遊技盤３面に遊技部３ａを区画形成する内・外レール５ａ，５ｂと、外レール５ｂの始端位置Ｓ１と発射レール３３の終端位置Ｅとの間のファール球回収口４４ａとを備えてなり、発射通路３２の上方に球走行面３３ａを下向きにして発射レール３３を配置すると共に該発射レール３３の上側に磁石片３４を配設し、発射位置３５に供給された弾球Ｂ１を発射レール３３下面の球走行面３３ａに吸着させ、この状態で弾球Ｂ１を発射レール３３の球走行面３３ａに沿って発射させるようにした。【選択図】図３
2010158481.tif 000002
【特許請求の範囲】
【請求項１】
発射通路に沿って設けられる発射レールと、前記発射通路の発射位置に供給された磁性体からなる弾球を発射させる打球発射装置と、遊技盤面に遊技部を区画形成する内レール及び外レールと、前記外レールの始端位置と前記発射レールの終端位置との間に形成されるファール球回収樋とを備え、
前記打球発射装置により前記発射レールの球走行面に沿って発射された弾球が前記ファール球回収樋を飛び越え前記内レール及び外レールとの間を飛走して前記遊技盤面の遊技部に打ち込まれるようにした弾球遊技機であって、
前記発射通路の上方に前記球走行面を下向きにして前記発射レールを配置すると共に該発射レールの上側に磁石片を配設し、前記発射位置に供給された弾球を前記発射レール下面の球走行面に吸着させ、この状態で前記吸着された弾球を前記発射レールの球走行面に沿って発射させるようにしたことを特徴とする弾球遊技機。
【発明の詳細な説明】
【技術分野】
【０００１】
本発明は、発射レールの発射位置に供給された弾球を該発射レールの球走行面に沿って発射させて遊技盤面の遊技部に打ち込むようにした弾球遊技機に関するものである。
【背景技術】
【０００２】
従来、この種弾球遊技機にはその代表的なものとしてパチンコ遊技機がある。該パチンコ遊技機は、機枠の前面に装着される本体枠に遊技盤が設置され、該遊技盤の下方であり本体枠の前面に発射通路に沿って設けられる発射レールと打球発射装置とが配置される。また、遊技盤の前面に内レール及び外レールにより遊技部が区画形成され、外レールの始端位置と前記発射レールの終端位置との間にファール球回収樋が形成されている。そして、弾球遊技機前面の下部一側に設けられた打球力調整ハンドルを回動させることにより、前記発射通路の発射位置であって発射レール上面の球走行面に乗るパチンコ球が該発射レールの球走行面に沿って発射される。この発射されたパチンコ球は、ファール球回収口を飛び越えて外レールの始端位置側の上面に着地すると共に外レールと内レールとの間を飛走して遊技盤面の遊技部に打ち込まれる。一方、発射位置から発射されたパチンコ球であっても、その発射力が弱く遊技部に打ち込まれずに外レールと内レールとの間の途中で発射位置側へ戻ってしまうパチンコ球は、ファール球回収口に落下して遊技者に戻されるようになっている（例えば、特許文献１参照。）。
【先行技術文献】
【特許文献】
【０００３】
【特許文献１】特開平８−２５２３６２号公報（第３−５頁、図１、図２）
【発明の概要】
【発明が解決しようとする課題】
【０００４】
しかしながら、前記特許文献１に係るパチンコ遊技機にあっては、発射レールが発射通路の下方に設けられ、しかも、発射レールの終端位置がファール球回収口に臨んでいる。また、外レールの始端位置は発射レールのほぼ延長上に位置し、外レールの始端位置と発射レールの終端位置との間のファール球回収口の幅は比較的狭い。このため、例えば発射通路の発射位置から発射されたパチンコ球であっても、その発射力が弱かったがために、遊技盤面の遊技部に打ち込まれずに外レールと内レールとの間を発射位置側へ逆戻りすると、その勢いの余りファール球回収口を掠めて発射レールの終端面に直接衝突し、それからファール球回収樋内に落下するという事態がしばしば生じている。
【０００５】
ところで、発射レールの上面である球走行面の終端は、発射されるパチンコ球の方向性を定めるに最も重要な箇所であって、これは球飛び状態に密接に関係している。例えば、発射レールの終端面に幾度となくファール球が衝突して球走行面の終端部が上方へ反り返ってしまうと、発射され発射レールの終端位置から飛んだパチンコ球の外レール上面での着地位置にバラツキが生じ、外レールと内レールとの間の球飛び状態が不安定になる。このように、球飛び状態が不安定になると、遊技部の一定個所に狙ってパチンコ球を打ち込むことが難しくなり、遊技しずらくなるという遊技上致命的な欠点を生ずることになる。
【０００６】
この対応策として、ファール球が終端面に衝突するのを避けるべく、例えば発射レールを球走行面が上向きのままで発射通路の上方へ平行に移動させることが考えられる。しかし、このように発射レールを上方へ移動させると、その終端面にファール球が衝突することを防止するのに効果的ではあるが、発射レールからパチンコ球の飛び出す位置が高くなる関係より、該パチンコ球が外レールの上面に着地したときの該パチンコ球の外レール上面に対する入射角が大きくなって、その分パチンコ球が高くバウンドすることになる。これでは、前記した内・外レール間を飛走するパチンコ球の球飛び状態が不安定になるという致命的な課題が再び浮上してしまうといった課題がある。
【０００７】
そこで、本発明は上記課題を解決すべくなされたもので、良好な球飛び状態を維持したまま、ファール球が発生しても発射レールの終端面には衝突させないようにした弾球遊技機を提供とすることを目的とするものである。
【課題を解決するための手段】
【０００８】
かかる目的を達成するため本発明の弾球遊技機は、発射通路に沿って設けられる発射レールと、前記発射通路の発射位置に供給された磁性体からなる弾球を発射させる打球発射装置と、遊技盤面に遊技部を区画形成する内レール及び外レールと、前記外レールの始端位置と前記発射レールの終端位置との間に形成されるファール球回収樋とを備え、前記打球発射装置により前記発射レールの球走行面に沿って発射された弾球が前記ファール球回収樋を飛び越え前記内レール及び外レールとの間を飛走して前記遊技盤面の遊技部に打ち込まれるようにした弾球遊技機であって、前記発射通路の上方に前記球走行面を下向きにして前記発射レールを配置すると共に該発射レールの上側に磁石片を配設し、前記発射位置に供給された弾球を前記発射レール下面の球走行面に吸着させ、この状態で前記吸着された弾球を前記発射レールの球走行面に沿って発射させるようにしたことを特徴とする。
【０００９】
また、この際、前記発射レールにおける前記発射位置の下方に上面が該発射位置側へ下傾し打球供給装置から供給される弾球を受け止めて該発射位置へ導く球受部材を配置し、前記発射レールの前記終端位置の下方に前記内・外レール間を前記発射位置側へ戻るファール球を衝突させて前記ファール球回収樋へ落下させる球止部材を配置し、前記球受部材と前記球止部材との間には１個のパチンコ球が通過できる球抜樋を形成することが好ましい。
【発明の効果】
【００１０】
本発明に係る弾球遊技機は、発射通路の上方に球走行面を下向きにして発射レールを配置すると共に該発射レールの上側に磁石片を配設し、発射位置に供給された弾球を発射レール下面の球走行面に吸着させ、この状態で吸着された弾球を発射レールの球走行面に沿って発射させるようにしたので、弾球の飛走軌道を基準とし該飛走軌道に対して直交する方向で外レールの始端位置より発射レールにおける球走行面の終端位置がほぼ弾球の直径寸法分上方へずれることになる。これにより、発射位置から発射される弾球は、発射レールの球走行面の下側を該球走行面に沿って吸着された状態で飛走することになり、パチンコ球が飛び出す位置が高くなることはなく、良好な球飛び状態を維持できる。しかも、外レールと内レールとの間を戻るファール球が外レールの始端位置からファール球回収口を掠めて発射位置側に戻ろうとしても、発射通路の上方に球走行面を下向きにして発射レールを配置したので該ファール球は発射レールの終端面に衝突することがなくなり、発射レールにおける球走行面の終端部が反り返るようなこともなくなる。よって、常に安定した球飛び状態が維持できると同時に、発射レールの変形が防止できるという効果を有する。更には、変形により発射レールを早々と交換する必要もなく経済的であるという効果を有する。
【００１１】
また、本発明は、発射レールにおける発射位置の下方に上面が該発射位置側へ下傾し打球供給装置から供給される弾球を受け止めて該発射位置へ導く球受部材を配置し、発射レールの終端位置の下方に内・外レール間を発射位置側へ戻るファール球を衝突させてファール球回収樋へ落下させる球止部材を配置し、球受部材と球止部材との間には１個のパチンコ球が通過できる球抜樋を形成する。これにより、仮に球受部材の上面に発射位置を含めて２個または３個のパチンコ球が滞留している場合、発射位置にあるパチンコ球を弱く発射させるだけでも他のパチンコ球を球抜樋へ排出できるので、発射レール部位に複数のパチンコ球が滞留するのを容易に解消できるという効果がある。
【図面の簡単な説明】
【００１２】
【図１】本発明に係るパチンコ遊技機の正面図。
【図２】同透明板保持枠及び前板を開いた状態の正面図。
【図３】打球発射機構の拡大斜視図。
【図４】打球発射機構部位の拡大正面図。
【図５】同拡大平面断面図。
【発明を実施するための最良の形態】
【００１３】
以下、本発明に係る弾球遊技機の実施の形態を図面に基づき詳しく説明する。本発明は、パチンコ遊技機、アレンジボール遊技機、雀球遊技機等の弾球遊技機に適用できるが、このうち、パチンコ遊技機に適用される場合について説明する。
【００１４】
図１は本発明に係るパチンコ遊技機の正面図、図２は同透明板保持枠及び前板を開いた状態の正面図である。パチンコ遊技機Ｐは縦長長方形状の機枠１を有し、該機枠１の前側に本体枠２が開閉自在に装着される。該本体枠２には、その前側から遊技盤３が着脱自在に装着される。また、遊技盤３の下方であって本体枠２の前面に、打球発射機構４が配置される。
【００１５】
前記遊技盤３の前面に、渦巻き状に敷設された内・外レール５ａ，５ｂにより囲われるようにして遊技部３ａが形成される。該遊技部３ａには、中央上部に文字、数字等の図柄を変動表示する電子ディスプレー６を備えた大型の変動表示装置７が装着される。また、その下方に、第一・第二始動入賞口８ａ，８ｂがそれぞれ上下に位置して配設される。第一始動入賞口８ａは、遊技部３ａに打ち込まれた弾球としての磁性体からなるパチンコ球が入賞することにより該パチンコ球を電気的に検出する。また、第二始動入賞口８ｂは、左右に起立または逆ハの字状に傾動する一対の開閉翼９，９を有し、同じく遊技部３ａに打ち込まれた遊技球が変動表示装置７の一側に配置される通過チャッカー１０を通過して検出されかつその検出によって発生するくじに当たると、一対の開閉翼９，９が短い時間１回開くようになっており、その間にパチンコ球が入賞すると該パチンコ球を電気的に検出する。そして、これら第一・第二始動入賞口８ａ，８ｂに入賞したパチンコ球が電気的に検出されると、前記電子ディスプレー６の図柄が変動を開始する。
【００１６】
前記第一・第二始動入賞口８ａ，８ｂの下方に、開閉扉１１ａが前側へ傾動して一度に多くの入賞球を発生させる大型の大入賞口１１が配設される。なお、前記第一・第二始動入賞口８ａ，８ｂに入賞して検出されかつその検出によって発生するくじに当たると、前記電子ディスプレー６に特定の当り図柄が表示されて大当りが発生し、前記開閉扉１１ａが所定時間（例えば約３０秒または大入賞口１１が１０個の入賞球を検出するまで）開放し、これが連続して所定回数（例えば１５回）繰り返される。内レール５ａの下部内側であって大入賞口１１の両側に、内レール５ａに沿ってレール飾り１２ａ，１２ｂが配置される。これらレール飾り１２ａ，１２ｂには、適宜位置に普通入賞口１３が設けられている。１４は、内レール５ａの中央下部に設けられ遊技部３ａに打ち込まれるも、入賞球となりえなかったパチンコ球をパチンコ遊技機Ｐの外部へ排出するためのアウト球口である。
【００１７】
遊技盤３を正面から見て左側は内レール５ａと外レール５ｂが一部重なり、その間にパチンコ球を遊技部３ａに飛走して打ち込むための誘導通路１５が形成される。該誘導通路１５は、上端の球放出口１５ａを介して遊技部３ａに連なっている。また、その下端は開放され、その開放部に打球発射機構４に備えられた後記する発射レール３３の終端位置Ｅが臨んでいる。そこで、打球発射機構４から発射されたパチンコ球は外レール５ｂの始端位置Ｓ１側の上面に着地し、該誘導通路１５に誘導されて遊技部３ａに打ち込まれることになる。この始端位置Ｓ１は、外レール５ｂの下端部であってその湾曲する上面とその下方の鉛直面との交差部である。換言すれば、始端位置Ｓ１とは、発射レール３３から発射されたパチンコ球が外レール５ｂの上面に沿って上るか跳ね返されてファール球回収口４４ａに落下するかの境界となる接地点をいい、外レール５ｂの下端を意味するものではない。なお、打球発射機構４については後で説明する。
【００１８】
本体枠２の前面に、その上部に遊技盤３の遊技部３ａが臨む透窓１６が開設された透明板保持枠１７が開閉自在に軸着される。該透明板保持枠１７はその横幅が本体枠２の横幅と同じ寸法を有し、透窓１６にはガラス板または合成樹脂板からなる透明板１８が装着される。また、透明板保持枠１７の下方に、前記打球発射機構４の前側を覆うようにして前板１９が開閉自在に軸着される。該前板１９の前面には、打球発射機構４に供給するパチンコ球を貯留する上球受皿２０が装着される。また、上球受皿２０の下方であって前板１９の前面に、該上球受皿２０から溢れるパチンコ球を貯留するための下球受皿２１が装着されている。その一側で本体枠２の前面に、打球発射機構４から発射されるパチンコ球の打球力を調節するための打球力調整ハンドル２２が設けられる。
【００１９】
本体枠２の前面であって打球力調整ハンドル２２の少し上方に、鍵穴２３ａが前面に露出する錠２３が設置され、また、同じ側の本体枠２に透明板保持枠１７を施錠するための施錠装置（図示せず。）が設けられている。常には、透明板保持枠１７は閉じて施錠装置により施錠されている。そして、錠２３の鍵穴２３ａに鍵を入れて一方向へ回動させることにより施錠が解除されて透明板保持枠１７が開放でき、この状態で前板１９が手動で開放できるようになっている。
【００２０】
前板１９の後面には、その一側に該前板１９が閉められたとき、本体枠２の下部前面に開設された球排出口２４に接続される球受口２５が設けられる。該球受口２５は上球受皿２０と連通しており、貸し球や入賞球の払い出しの要求があったとき、球排出口２４及び球受口２５を介し上球受皿２０に貸し球や入賞球としてのパチンコ球が払い出される。また、前板１９の後面他側に、上球受皿２０から流入する打ち球としてのパチンコ球を前記打球発射機構４に供給するための打球供給装置２６が配置される。
【００２１】
前記打球供給装置２６は、図５に示すようにその前面に上球受皿２０の球整流通路２０ａの流下端と連なる球入口２７ａが開設される。また、打球供給装置２６の内部に、上流端が該球入口２７ａと連通し、かつ、下流端が後面に開設され打球発射機構４の後記する球受部材３９に対応して位置させた球出口２７ｂと連通する球送通路２８が形成される。そして、該球送通路２８の一側に、球整流通路２０ａから流入するパチンコ球をソレノイド（図示せず。）などの電気的駆動手段により水平面内で往復回動させ球出口２７ｂを介してパチンコ球を１個ずつ発射位置３５へ供給する球送り部材２９が軸着されている。
【００２２】
次に、図３、図４に基づき本発明に係る打球発射機構４について詳しく説明する。打球発射機構４は本体枠２の下部前面２ａに当接される取付基板３０を有し、該取付基板３０はビス３１により所定の位置に固着される。該取付基板３０には、その前面に外レール５ｂの始端位置Ｓ１から下方へ斜めに延びる接線に沿うようにして発射通路３２が形成される。そして、該発射通路３２の上方に該発射通路３２に沿うようにして発射レール３３が配置される。
【００２３】
該発射レール３３は非磁性体であるステンレス板を屈曲させて形成され、長手方向に対し直交する断面が逆Ｍ字状をなし、その断面逆Ｖ型に窪んだ面を球走行面３３ａとしている。しかも、該発射レール３３は球走行面３３ａを下向きにして配置される。この場合、パチンコ球の飛走軌道を基準とし該飛走軌道に対して直交する方向で外レール５ｂの始端位置Ｓ１より発射レール３３における球走行面３３ａの終端位置Ｅがほぼパチンコ球の直径寸法分上方へずれることになる。また、発射レール３３の上側でありかつ該発射レール３３の上面に沿って重なるようにして発射レール３３と同じ長さ寸法の磁石片３４が配設される。更に、その上面であって磁石片３４が配置される発射レール３３内に、合成樹脂製の保持部材４８が重なるようにして介装される。発射レール３３と保持部材４８にはそれぞれ側面に対応してビス挿通孔４９，５０が貫設され、これらビス挿通孔４９，５０にビス５１を挿通すると共に取付基板３０に対応して設けられたビス孔（図示せず。）に螺子締めすることにより発射レール３３が取付基板３０に取着される。磁石片３４の磁力の強さは、該発射レール３３の球走行面３３ａに吸着した状態でパチンコ球を下にして吊るしても落ちない範囲であり、かつ、発射レール３３から離れた状態ではパチンコ球内の残留磁気がほとんど消える範囲で設定される。残留磁気が時間的に長く残ると、遊技上好ましくないからである。このため、前記発射レール３３の材質も非磁性体が使用される。
【００２４】
発射通路３２における発射レール３３の始端位置Ｓに対応する位置が発射位置３５となり、該発射位置３５の斜め下方にソレノイドを備えた打球発射装置３６が配設される。該打球発射装置３６は箱枠状に形成され、その箱枠３６ａの４隅部をビス３７止めすることにより取付基板３０に固着される。また、打球発射装置３６の内部には高速で進退動するプランジャー３８が配設され、該プランジャー３８の先端が箱枠３６ａの側壁からその前方へ突出し、その先端に発射位置３５に位置するパチンコ球を発射レール３３の球走行面３３ａに沿って打ち出すため樹脂材からなる円錐台形状の打球部３８ａが取着されている。
【００２５】
一方、発射通路３２における発射位置３５の下方には、パチンコ球を発射位置３５で安定して停止させておくための球受部材３９がビス４０により取付基板３０の前面に固着される。該球受部材３９の上面に、発射位置３５に向かって僅かに下傾する球受面４１ａと該球受面４１ａの下流端に下傾する角度が球受面４１ａよりも更に大きくなる停止面４１ｂとが形成される。そして、球受部材３９の上面の下端すなわち停止面４１ｂの流下端と発射レール３３における球走行面３３ａの始端位置Ｓとの間に、パチンコ球の直径寸法よりも狭い隙間４２が形成され、該隙間４２を介してその内側の発射位置３５に前記プランジャー３８の打球部３８ａが介入できるようになっている。このように、球受面４１ａの水平面に対する傾斜角度を発射レール３３の水平面に対する傾斜角度よりも小さくすることで前記球受部材３９の上面である球受面４１ａの上端４１ｃと発射レール３３の球走行面３３ａとの間の上下方向の寸法は、その間に２個又は３個のパチンコ球が上下方向に積み重ねられる程度の距離に設定されている。
【００２６】
打球供給装置２６の球出口２７ｂから排出されるパチンコ球は、球受部材３９の上面である球受面４１ａに乗って発射通路３２の発射位置３５側へ転動し、最終的に停止面４１ｂで発射レール３２との間に挟まれる。しかも、磁石片３４により球走行面３３ａに吸着された状態で停止する。
【００２７】
発射レール３３の終端位置Ｅ側の下方に、上面４３ａが発射レール３３の球走行面３３ａと平行をなし、かつ、その間がパチンコ球の直径寸法より少し広く設定された球止部材４３がビス４０止めして取付基板３０に固着される。該球止部材４３は内・外レール５ａ，５ｂ間の誘導通路１５を発射位置３５側へ戻るファール球を衝突させ、隣接するファール球回収口４４ａ下方のファール球回収樋４４に落下させるためのものである。このため、球止部材４３におけるファール球回収樋４４に接する側面４３ｂは、ほぼ鉛直面状に形成される。
【００２８】
前記球受部材３９と球止部材４３との間に、１個のパチンコ球が通過できる程度の球抜樋４５が形成される。これは、例えば発射位置３５において球受部材３９の停止面４１ｂにパチンコ球が位置する状態でこれから発射されようとしているとき、その前に既に発射されたパチンコ球が遊技部３ａに打ち込まれずに発射位置３５、すなわち、球受面４１ａに戻ってくると発射動作の邪魔になる。そこで、発射位置３５に位置するパチンコ球を発射させることにより、その戻っていたパチンコ球を球抜樋４５に落下させて発射位置３５から取り除くためである。このため、球止部材４３の球抜樋４５側には、発射位置３５側へ傾斜して、前記球受部材３９の球受面４１ａからほぼ水平方向へ弾き飛ばされたパチンコ球を効率良く球抜樋４５に落下させるため、球抜樋４５の上端入口４５ａの上方に衝突したパチンコ球を球抜樋４５へ誘導する誘導傾斜面４３ｃが設けられている。
【００２９】
前記ファール球回収樋４４は、取付基板３０の前面から前方へ突出する囲い枠４６により仕切られ、該囲い枠４６の下端に球落口５２が設けられている。これら球落口５２と球抜樋４５の下端出口４５ｂの下方に、囲い枠４６や球抜樋４５から下方へ排出されるパチンコ球を受け入れる球回収樋４７が配設される。該球回収樋４７は、上端面が開放すると共に下端の前面に球通孔５３が開設されている。該球通孔５３は前記前板１９が閉じたとき、該前板１９に開設され下球受皿２１に連通する導入孔５４に連通するようになっており、球回収樋４７に落下したパチンコ球は総て下球受皿２１に貯留されることになる。
【００３０】
本発明に係るパチンコ遊技機Ｐは上記構成からなり、次に作用について説明する。上球受皿２０に貯留されるパチンコ球は、図５に示すように前板１９の後面に配置される打球供給装置２６の球送通路２８に流入し、球送り部材２９により１個ずつ送られると共に球出口２７ｂから球受部材３９の球受面４１ａに排出され、発射通路３２の発射位置３５に供給される。発射位置３５に供給されたパチンコ球Ｂ１は、図４に示すように停止面４１ｂに達する。そして、発射レール３３の球走行面３３ａとの間に挟まれると共に磁石片３４により発射レール３３の球走行面３３ａに吸着されて停止する。このように、発射位置３５では、パチンコ球Ｂ１が球受面４１ａよりも一層傾斜角度の大きい停止面４１ｂに位置し、かつ磁石片３４に吸着されるので、発射位置３５に供給されるパチンコ球Ｂ１が踊るようなことはなく安定し発射動作が行ない易い。
【００３１】
この状態で、打球発射装置３６が電気的に作動してプランジャー３８が高速で進退動し、その先端の打球部３８ａが発射位置３５内に突入してその位置にあるパチンコ球Ｂ１を打球する。これにより、打球されたパチンコ球Ｂ１は発射レール３３における断面逆Ｖ型の球走行面３３ａに沿って発射レール３３を介し磁石片３４に吸着された状態で飛走し、その終端位置Ｅからファール球回収口４４ａを飛び越えて外レール５ｂの上面に着地する。そして、今度は内レール５ａと外レール５ｂとの間の誘導通路１５に沿って飛走し、上端の球放出口１５ａから遊技部３ａに打ち込まれることになる。
【００３２】
そこで、図４に示すように、例えば発射位置３５から発射されてもその勢いが足りず遊技部３ａに達することができないパチンコ球Ｂ２は、誘導通路１５を発射位置３５側へ戻ることになる。このうち、勢いが弱くて外レール５ｂの始端位置Ｓ１から自重でファール球回収口４４ａ内に落下するパチンコ球Ｂ２は、ほぼ球止部材４３の側面４３ｂに衝突してファール球回収樋４４を流下し球回収樋４７に落下する。そして、落下したパチンコ球Ｂ２は、球回収樋４７を流下し球通孔５３を介して下球受皿２１に排出される。一方、勢いが強くファール球回収口４４ａを掠めて斜めに落下し球止部材４３と発射レール３３との間に入ったパチンコ球Ｂ３は、球受部材３９の球受面４１ａに乗る。このとき、発射位置３５に発射されるパチンコ球Ｂ１がある場合は、該パチンコ球Ｂ１が発射されることによって戻ってきたパチンコ球Ｂ３は、ほぼ水平方向へ跳ね飛ばされる。跳ね飛ばされたパチンコ球Ｂ３は球止部材４３の誘導傾斜面４３ｃに衝突して球抜樋４５に入り、続いて球回収樋４７に落下する。発射位置３５から打ち出されそのパチンコ球Ｂ３に衝突したパチンコ球Ｂ１は、衝突したことにより勢いが弱くなっているので、発射レール３３から打ち出されたとしても、途中で発射位置３５側に戻り、ファール球回収口４４ａからファール球回収樋４４に落下すると共に球回収樋４７に落下する。このパチンコ球Ｂ３も、球回収樋４７を流下して下球受皿２１に排出される。
【００３３】
このように、本発明は発射通路３２の上方に球走行面３３ａを下向きにして発射レール３３を配置すると共に該発射レール３３の上側に磁石片３４を配設し、発射位置３５に供給されたパチンコ球を発射レール３３下面の球走行面３３ａに吸着させ、この状態で吸着されたパチンコ球を発射レール３３の球走行面３３ａに沿って発射させるようにしている。よって、パチンコ球の飛走軌道を基準とし該飛走軌道に対して直交する方向で外レール５ｂの始端位置Ｓ１より発射レール３３における球走行面３３ａの終端位置Ｅがほぼパチンコ球の直径寸法分上方へずれることになる。これにより、発射位置３５から発射されるパチンコ球は、発射レール３３の球走行面３３ａの下側を該球走行面３３ａに沿って吸着された状態で飛走することになり、パチンコ球が飛び出す位置が高くなることはなく、発射レール３３から発射されるパチンコ球の良好な球飛び状態が維持できる。しかも、外レール５ｂと内レール５ａとの間を戻るファール球が外レール５ｂの始端位置Ｓ１からファール球回収口４４ａを掠めて発射位置３５側に戻ろうとしても、該ファール球は発射レール３３の終端面Ｆに衝突するようなことがなく、発射レール３３における球走行面３３ａの終端部が反り返るようなこともなくなる。
【００３４】
発射レール３３を発射通路３２の上方へ配置したということは、発射位置３５から発射されるパチンコ球の理想の軌道と外レール５ｂを発射位置３５側へ戻ってくるファール球の理想の軌道との間に発射レール３３の球走行面３３ａが存在しないことを意味する。これにより、外レール５ｂに沿って下方へ飛走してきたファール球は始端位置Ｓ１を通過した後は、その自重により自然と放物線を描きながら落下し球止部材４３に衝突してファール球回収樋４４に回収される。よって、ファール球が、発射レール３３の終端位置Ｅに衝突することが無くなる。ここで、発射されるパチンコ球の理想の軌道とは、遊技部３ａに到達し得る打球力で打ち出されたパチンコ球の通る軌道をいう。また、ファール球の理想の軌道とは、ファール球が内・外レール５ａ，５ｂ間の誘導通路１５内を暴れずに外レール５ｂに沿った状態で戻る軌道をいう。
【００３５】
また、本発明は、発射レール３３における発射位置３５の下方に上面が該発射位置３５側へ下傾し打球供給装置２６から供給されるパチンコ球を受け止めて該発射位置３５へ導く球受部材３９を配置し、発射レール３３の終端位置Ｅの下方に内・外レール５ａ，５ｂ間を発射位置３５側へ戻るファール球を衝突させてファール球回収樋４４へ落下させる球止部材４３を配置し、球受部材３９と球止部材４３との間には１個のパチンコ球が通過できる球抜樋４５を形成するようにしている。よって、仮に、球受部材３９の上面に発射位置３５を含めて２個または３個のパチンコ球が滞留している場合、発射位置３５にあるパチンコ球を弱く発射させるだけでも他のパチンコ球を球抜樋４５へ排出できるので、発射レール３３部位に複数のパチンコ球が滞留するのを容易に解消できる。
【００３６】
本発明にあっては、発射通路３２の発射位置３５の下方に遊技盤３面と平行な面内で発射レール３３と同一面内に球受部材３９を配置するようにしたが、磁石片３４が発射レール３３の始端位置Ｓから終端位置Ｅまで配設されている。よって、その磁石片３４の磁力を調節ししかも打球供給装置２６の球出口２７ｂを発射位置３５に接近させてやれば、球出口２７から排出されるパチンコ球は磁石片３４の吸着力により直接球走行面３３ａに吸着される。よって、この場合、球受部材３９は必ずしも必要ではない。ただ、図４に示すように発射レール３３の始端位置Ｓ部位にあっては、磁石片３４が配設されるのがその始端位置Ｓから長手方向に沿ってパチンコ球の直径寸法分短い位置Ｄ１まででも良い。これに対し、発射レール３３の終端位置Ｅ部位にあっては、磁石片３４の配設されるのが前記終端位置Ｅから発射レール３３の球走行面３３ａに対して直交しかつ前記球止部材４３の上端を通る面が該球走行面３３ａと交差する位置Ｄ２まで短くても良い。結局、磁石片３４の長さが少なくとも前記発射レール３３における位置Ｄ１〜Ｄ２の間を含んでそれ以上の長さあれば、本発明の目的は達成し得る。ただし、磁石片３４の長さが前記位置Ｄ１〜Ｄ２間での長さのときに、前記球受部材３９が必要になる。
【００３７】
また、本発明にあっては、磁石片３４が図３に示すようにへの字状に一体に形成されているが、この形状に限定されるものではない。例えば、長手方向に沿って中央で２分割して一対の平板状のものを使用しても良く、これらを更にその短手方向に沿って２又は３分割するようにしても良い。
【００３８】
また、本発明は、発射レール３３を発射通路３２の上方に設けるようにしたことから、その下方に有効なスペースが確保でき、これにより球受部材３９や球止部材４３の位置・形状の選定が容易となり、その設計の自由度が増す。
【符号の説明】
【００３９】
３              遊技盤
３ａ            遊技部
５ａ            内レール
５ｂ            外レール
３２            発射通路
３３            発射レール
３３ａ          球走行面
３４            磁石片
３５            発射位置
３６            打球発射装置
３９            球受部材
４３            球止部材
４４ａ          ファール球回収口
４５            球抜樋
Ｂ１〜Ｂ３      弾球（パチンコ球）
Ｅ              終端位置
Ｐ              弾球遊技機（パチンコ遊技機）
Ｓ              始端位置
Ｓ１            始端位置
【図１】
2010158481.tif 000003
【図２】
2010158481.tif 000004
【図３】
2010158481.tif 000005
【図４】
2010158481.tif 000006
【図５】
2010158481.tif 000007